(57)【要約】【課題】エネルギー消費量の少ない容器処理装置を提供する。【解決手段】７つの散水領域Ａ〜Ｇが容器６の搬送方向に沿って配置され、それぞれ上方に散水ノズル８Ａ〜８Ｇ、下方に貯水タンク１０Ａ〜１０Ｇが設けられている。各貯水タンクの水がポンプ１２Ａ〜１２Ｇによって吸い出されて散水ノズルに送られ容器に散水される。第１貯水タンク１０Ａの水が、第２送水経路１８を介して第６散水ノズル８Ｆに送水されれる。第２送水経路には三方弁２２が設けられ、その上流側の第１流路１８ａａが冷却用の熱交換機２４を通って三方弁の一方の入口２２ａに、第２流路１９ａｂが直接三方弁の他の入口２２ｂに接続されており、三方弁の開度を変更することにより、送水する水の温度を調整する。さらに、三方弁の開度を変更して流量が変動したときにポンプの回転数をインバータ２８により制御して流量を一定にする。【選択図】図１
2006145139.tif 000002
【特許請求の範囲】
【請求項１】
容器を搬送する搬送手段と、搬送方向に沿って配置された複数の散水領域と、これら各散水領域へ水を送水する送水手段とを備え、搬送される容器の上方から散水することにより、容器に熱処理を行う容器処理装置において、
一つの散水領域で散水された水を回収して他の散水領域に送水する送水経路を、熱交換機と接続可能に配置し、前記送水経路は、前記一方の散水領域に設けられた送水手段から熱交換機を通して水を送る第１流路と、前記送水手段から熱交換機を通さずに水を送る第２流路と、これら第１および第２流路の水を混合して前記他の散水領域に送る三方弁と、この三方弁の第１流路側と第２流路側の開度を調節する調整手段とを備え、かつ、前記一つの散水領域に設けられた送水手段を、水の送水量を制御可能に構成し、前記三方弁の開度に応じて送水量を制御することを特徴とする容器処理装置。
【請求項２】
容器よりも高温の水を散水する散水領域で散水された水を、容器よりも低温の水を散水する散水領域に送水するとともに、容器よりも低温の水を散水する散水領域で散水された水を容器よりも高温の水を散水する領域に送水する循環経路を形成するとともに、容器よりも高温の水を散水する散水領域から容器よりも低温の水を散水する散水領域へ送水する経路を、冷却用熱交換機と接続可能にしたことを特徴とする請求項１に記載の容器処理装置。
【請求項３】
前記三方弁の下流に、送水される水の温度を検出する検出手段を配置し、この検出手段による検出温度に応じて前記三方弁の開度を調節することを特徴とする請求項１または請求項２に記載の容器処理装置。
【発明の詳細な説明】
【技術分野】
【０００１】
本発明は、複数の散水領域を有し、搬送されてきた容器の上方からそれぞれ異なる設定温度の温水または水を散水することにより、所定の熱処理を行う容器処理装置に関するものである。
【背景技術】
【０００２】
パストライザ等の容器の熱処理を行う容器処理装置は、一般に、容器を搬送する搬送コンベヤの上方に散水ノズルが、そして下方に貯水タンクが配置され、この貯水タンク内の水をポンプによって散水ノズルに送って容器に散水し、散水された水を貯水タンクに環流させるようになっている。
【０００３】
例えば、パストライザでは、急激な温度勾配をさけるため、余熱領域、加熱領域、殺菌領域、予冷領域および冷却領域等の複数の散水領域を有している。これら各領域で容器に水を散水して貯水タンクに環流させると、散水された水は容器と熱交換されるため、各領域の貯水タンク内の水が時間の経過とともに温度が上昇し、もしくは下降するため、各貯水タンクに蒸気と水の供給配管を接続し、貯水タンク内の水の温度が下降したら蒸気を供給し、温度が上昇した場合には水を供給することにより、各散水領域の水の温度を設定温度に維持するように制御している。
【０００４】
各散水領域の温度変化に応じて、水の温度を設定温度に調整するためには、大量の水や蒸気を必要とする。特に、パストライザでは使用する水の量が膨大であり、その使用および排水処理に費用がかかるため、極力水の使用量を抑えることが要望される。
【０００５】
特許文献１には、前述のように水と蒸気の使用量を抑制するために、容器よりも高温の水を散水する領域（この特許文献１では余熱領域）と、容器よりも低温の水を散水する領域（徐冷領域）との間に、それぞれ向流循環路を設け、これら循環路に無負荷時に使用する熱交換機を備えたパストライザが開示されている。
【０００６】
また、特許文献２には、上流側（高温側）の冷却ゾーンの貯水槽が冷却水通路を介して下流側（低温側）の冷却ゾーンの散水ノズルに接続され、循環用ポンプによって前記貯水槽の水を前記散水ノズルに送水するようにした容器処理装置が記載されている。この容器処理装置は、循環用ポンプの下流に、クーリングタワーと連通したプレートクーラー（熱交換機）が配置されており、循環用ポンプで送られる水は、このプレートクーラーを通ることでクーリングタワーの冷却水と熱交換されることにより冷却されて前記散水ノズルに送水される。
【０００７】
さらに、この特許文献２の構成では、プレートクーラーの下流に、冷却用コントローラにより流量制御可能な三方弁が設けられ、プレートクーラーの上流と連通しているバイパス通路および開閉バルブを介して接続している。前記冷却用コントローラは、三方弁の下流に配置した温度センサーが検出する温度に応じてバイパス通路からの流量を調整して、つまり、プレートクーラーを通過する流量を調整して、所定温度の水を前記散水ノズルに送るようにしている。
【特許文献１】特開平１０−２７３１１７号公報（第６−７頁、図４）
【特許文献２】特開２００４−２８４７１号公報（第３−６頁、図１）
【発明の開示】
【発明が解決しようとする課題】
【０００８】
前記特許文献２の構成では、三方弁の下流に温度センサーを配置し、水の温度に応じて三方弁の開度を調節することにより、プレートクーラー（熱交換機）に送水する流量を制御するようになっており、上流側の貯水槽の水の温度が高ければ熱交換機に送る量を増加させ、水の温度が所定温度の場合には、熱交換機を通さないようにしている。ところが、前記三方弁は、内部の弁体を移動させることにより、二つの流路の開度を調節するものであり、開度によって送水される水の流量が変動するという問題があった。例えば、一方の流路を閉じて、他方の流路の流量を１００％とした場合と、両方の流路に適宜分配して送水する場合とでは、水の流れ方向が変わることにより三方弁内の圧力損失が変化して流量が大幅に変動してしまう。このように三方弁の開度によって水の流量が変動すると、送水する貯水槽の貯水量も変動して、水および蒸気の供給量が増加してしまう場合があった。
【課題を解決するための手段】
【０００９】
本発明は、容器を搬送する搬送手段と、搬送方向に沿って配置された複数の散水領域と、これら各散水領域へ水を送水する送水手段とを備え、搬送される容器の上方から散水することにより、容器に熱処理を行う容器処理装置において、一つの散水領域で散水された水を回収して他の散水領域に送水する送水経路を、熱交換機と接続可能に配置し、前記送水経路は、前記一方の散水領域に設けられた送水手段から熱交換機を通して水を送る第１流路と、前記送水手段から熱交換機を通さずに水を送る第２流路と、これら第１および第２流路の水を混合して前記他の散水領域に送る三方弁と、この三方弁の第１流路側と第２流路側の開度を調節する調整手段とを備え、かつ、前記一つの散水領域に設けられた送水手段を、水の送水量を制御可能に構成し、前記三方弁の開度に応じて送水量を制御することを特徴とするものである。
【発明の効果】
【００１０】
本発明の容器処理装置は、三方弁の開度を調節することにより内部の圧力損失が変わった場合でも流量が変動しないように、送水手段からの送水量を制御することにより、エネルギーの消費量を抑制することができる。
【発明を実施するための最良の形態】
【００１１】
複数の散水領域を備え、これら各散水領域で搬送される容器に順次異なる温度の水を散水して容器の熱処理を行う。一つの散水領域で散水された水を回収して他の散水領域に送水する送水経路を設けてこの送水通路に熱交換機を接続し、さらに、この送水経路に設けた三方弁を介して、熱交換機を通る水と、通らない水の量を調整可能として、他の散水領域に送る水の温度を調整可能にするとともに、前記送水手段の送水量を制御可能にするという構成で、三方弁内の圧力損失の変化による流量の変動を抑制するという目的を達成する。
【実施例１】
【００１２】
以下、図面に示す実施例により本発明を説明する。図１は本発明の一実施例に係る容器処理装置の構成を簡略化して示す概略構成図であり、この容器処理装置は、缶体２内に複数の散水領域（この実施例では、第１散水領域から第７散水領域までの７つの散水領域Ａ〜Ｇ）が順次配置され、搬送コンベヤ４によって缶体２の外部から搬入されて、連続的に搬送される常温（約２０℃）の容器６に、各散水領域Ａ、Ｂ、Ｃ、Ｄ、Ｅ、Ｆ、Ｇで異なる温度の水を散水して、容器６の加熱、殺菌、冷却等の熱処理を行うパストライザである。
【００１３】
この実施例では、缶体２内に７つの散水領域Ａ、Ｂ、Ｃ、Ｄ、Ｅ、Ｆ、Ｇが容器６の搬送方向に沿って配置されており、各散水領域Ａ、Ｂ、Ｃ、Ｄ、Ｅ、Ｆ、Ｇは、それぞれ搬送コンベヤ４の上方に配置され、容器６に水を散水する散水ノズル８Ａ、８Ｂ、８Ｃ、８Ｄ、８Ｅ、８Ｆ、８Ｇと、搬送コンベヤ４の下方に配置され、容器６に散水された水が流入して貯留される貯水タンク１０Ａ、１０Ｂ、１０Ｃ、１０Ｄ、１０Ｅ、１０Ｆ、１０Ｇと、これら貯水タンク１０Ａ、１０Ｂ、１０Ｃ、１０Ｄ、１０Ｅ、１０Ｆ、１０Ｇ内の水を吸い上げて、前記散水ノズル８Ａ、８Ｂ、８Ｃ、８Ｄ、８Ｅ、８Ｆ、８Ｇのいずれかに送る送水手段としてのポンプ１２Ａ、１２Ｂ、１２Ｃ、１２Ｄ、１２Ｅ、１２Ｆ、１２Ｇとを備えている。なお、各散水領域Ａ、Ｂ、Ｃ、Ｄ、Ｅ、Ｆ、Ｇの貯水タンク１０Ａ、１０Ｂ、１０Ｃ、１０Ｄ、１０Ｅ、１０Ｆ、１０Ｇには、オーバーフロー用のドレン１４Ａ、１４Ｂ、１４Ｃ、１４Ｄ、１４Ｅ、１４Ｆ、１４Ｇがそれぞれ設けられている。また、図示はしていないが、各貯水タンク１０Ａ、１０Ｂ、１０Ｃ、１０Ｄ、１０Ｅ、１０Ｆ、１０Ｇには、貯留されている水の温度を調整するために、蒸気の供給配管と水の供給配管とが接続されており、水の温度が設定温度よりも低下したときには蒸気を供給して水の温度を上昇させ、設定温度よりも高くなったときには水を供給して水の温度を低下させるようになっている。
【００１４】
第１散水領域Ａは、後に下流側の散水領域で比較的高温の水を容器６に散水して殺菌を行うために、徐々に容器６の温度を上昇させる予加熱領域であり、この領域Ａでは常温で搬送されてきた容器６に４７℃の水を散水する。この第１散水領域Ａの散水ノズル８Ａには、第６散水領域Ｆの貯水タンク１０Ｆに貯留されている水が、第６ポンプ１２Ｆによって吸い上げられて第１送水経路１６を介して送られる。
【００１５】
前記第１散水ノズル８Ａから容器６に散水された水が流れ込む第１貯水タンク１０Ａに貯留されている水の温度は４５℃に設定されており、この第１貯水タンク１０Ａの水は、第１ポンプ１２Ａに吸い上げられ、第２送水経路（全体として符号１８で示す）を介して第６散水領域Ｆの散水ノズル８Ｆに送られる。この第２送水経路１８は、後に説明するようにクーリングタワー２０に接続可能になっており、水を所定の温度に制御して前記第６散水ノズル８Ｆに送水する。
【００１６】
第２散水領域Ｂおよび第３散水領域Ｃはいずれも、前記予加熱領域（第１散水領域Ａ）で温度が上昇された容器６をさらに加熱する加熱領域であり、搬送コンベヤ２によってこの散水領域Ｂ、Ｃに搬送されてきた容器６に８０℃の水を散水する。これらの散水領域Ｂ、Ｃは、それぞれ第２貯水タンク１０Ｂおよび第３貯水タンク１０Ｃに貯留されている水を、第２ポンプ１２Ｂおよび第３ポンプ１２Ｃによって吸い上げて第２散水ノズル８Ｂおよび第３散水ノズル８Ｃに送水し、これら散水ノズル８Ｂ、８Ｃから容器６に散水する。容器６に散水された水は、下方の第２貯水タンク１０Ｂおよび第３貯水タンク１０Ｃにそれぞれ還流する。第２貯水タンク１０Ｂおよび第３貯水タンク１０Ｃ内は、ともに８０℃に温度制御されている。
【００１７】
第４散水領域Ｄおよび第５散水領域Ｅはいずれも殺菌領域であり、搬送コンベヤ２によってこれらの散水領域Ｄ、Ｅに搬送されてきた容器６に７５℃の水を散水して殺菌を行う。第４散水領域Ｄに配置された第４貯水タンク１０Ｄと、第５散水領域Ｅに配置された第５貯水タンク１０Ｅ内の水は、ともに７５℃に温度調節されており、各貯水タンク１０Ｄ、１０Ｅに設けられている第４ポンプ１２Ｄおよび第５ポンプ１２Ｅによって吸い上げられて、それぞれ第４散水ノズル８Ｄおよび第５散水ノズル８Ｅに送水され、容器６に散水される。容器６に散水された水は、下方の第４貯水タンク１０Ｄおよび第５貯水タンク１０Ｅにそれぞれ還流する。
【００１８】
第６散水領域Ｆは、前記第４散水領域Ｄおよび第５散水領域Ｅで比較的高温の水を散水されて殺菌された容器６を徐々に冷却する予冷領域であり、搬送コンベヤ２によって搬送されてきた容器６に４５℃の水を散水する。この散水領域Ｆの散水ノズル８Ｆには、前記第１散水領域Ａの貯水タンク１０Ａに貯留されている水が、第２送水経路１８を介して送られる。この第２送水経路１８の構成については後に説明する。また、この第６散水領域Ｆの貯水タンク１０Ｆ内の水は４７℃に設定されており、前述のようにこの水が貯水タンク１０Ｆ内に設けられた第６ポンプ１２Ｆによって吸い上げられて、第１送水経路１６を介して第１散水領域Ａの散水ノズル８Ａに送られて容器６に散水される。容器６に散水された水は、下方の第１貯水タンク１０Ａに流入する。
【００１９】
第７散水領域Ｇは、前記第４散水領域Ｄおよび第５散水領域Ｅで殺菌された容器６をできるだけ常温に近い温度まで冷却して、この容器処理装置から排出するための冷却領域であり、この第７散水領域Ｇでは容器６に３３℃の水を散水する。この第７散水領域Ｇの貯水タンク１０Ｇは３３℃に温度制御されており、第７ポンプ１２Ｇによってこの貯水タンク１０Ｇから吸い出された水が散水ノズル８Ｇに送られて容器６に散水され、再びこの貯水タンク１０Ｇに還流する。
【００２０】
次に、前記第１散水領域Ａの貯水タンク１０Ａから第６散水領域Ｆの散水ノズル８Ｆに水を送る第２送水経路１８について説明する。この送水経路１８には三方弁２２が設けられている。第２送水経路１８の上流部１８ａは、２つの流路（第１流路１８ａａと第２流路１８ａｂ）に分岐し、第１流路１８ａａは、前記クーリングタワー２０に接続されている熱交換機２４を経て前記三方弁２２の一方の入口２２ａに接続され、第２流路１８ａｂは直接三方弁２２の他方の入口２２ｂに接続されている。この三方弁２２の二つの入口２２ａ、２２ｂの開度を調節する調整手段としての弁体２６（後に説明する図２参照）を作動させて、二つの流路の開度を変えることにより、熱交換機２４を通って冷却されて送水される水と、熱交換機２４を通らずにそのまま送水される水の量とを調節することができ、両流路１８ａａ、１８ａｂからの水を、三方弁２２の出口２２Ｃで合流させて第６散水ノズル８Ｆに送る水の温度を調節することができる。
【００２１】
例えば、図２（ａ）に示すように、弁体２６を図の下方に移動させて第１ポンプ１２Ａから吐出された水が第２流路１８ａｂを介して直接導入される入口２２ｂを閉鎖して、第１流路１８ａａから熱交換機２４を通って水が送られる入口２２ａを全開すると、第１貯水タンク１０Ａから第６散水ノズル８Ｆに送られる水は、すべてが熱交換機２４を通って送水される。また、同図（ｂ）に示すように、三方弁２２の弁体２６を図の中央に移動させて、第１ポンプ８Ａから水が直接導入される入口２２ｂと、熱交換機２４を通って水が導入される入口２２ａを同開度、つまり両入口２２ａ、２２ｂの開度がそれぞれ５０％ずつになるように開放すると、熱交換機２４を通る水と、通らない水とが５０％ずつの割合で合流して、第６散水ノズル８Ｆに送られる。また、同図（ｃ）に示すように、弁体２６の図の上方への移動により熱交換機２４を通る第１流路１８ａａ側の入口２２ａを閉鎖して、第１ポンプ１０Ａ側の第２流路１８ａｂからの入口２２ｂを全開すると、第１ポンプ１０Ａによって吐出された水がすべて熱交換機２４を通らずに第６散水ノズル８Ｆに送水される。この三方弁２２の構造では、弁体２６の移動により、熱交換機２４を通って第６散水ノズル８Ｆに送られる水の量を０％から１００％の間で調整可能であり、この量を調整することで第６散水ノズル８Ｆに送る水の温度を調節することができる。
【００２２】
第１貯水タンク１０Ａの水を吸い上げて前記第２送水経路１８に送る第１ポンプ１２Ａは、インバータ２８によって回転数を制御可能であり、回転数を制御することにより吐出量を調整することができる。第２送水経路１８の三方弁２２よりも下流側の通路１８ｂに温度計３０が設けられており、この温度計３０の検出したデータが三方弁制御部３２に送られる。三方弁制御部３２には、図３に示すように、三方弁２２の開度制御部３４が設けられており、前記温度計３０の検出した温度に応じて熱交換機２４を通して送水する水と熱交換機２４を通さずに送水する水の割合を算出し、三方弁指令部３６からの指令によって前記弁体２６の位置を制御する。
【００２３】
さらに、三方弁制御部３２には、前記第１散水領域Ａのポンプ１２Ａの回転数を制御するインバータ周波数制御部３８が設けられており、前記三方弁２２の弁体２６の移動によって開度が変わることにより、三方弁２２内を通過する水の圧力損失が変化するのに伴い流量が変動する場合に、インバータ指令部４０からの指令により第１ポンプ１２Ａの回転数を制御することによって、第６散水ノズルに送水する水の量を一定量に維持できるようにしている。
【００２４】
インバータ周波数制御部３８は、あらかじめ三方弁２２の開度に応じたインバータ周波数を記憶しており、三方弁２２の開度が変更になった際にポンプ１２Ａの回転数を変更するようにしている。この実施例では、三方弁２２に熱交換機２４を通って送られる水の流量が１００％で、熱交換機２４を通らずに第１ポンプ１０Ａから直接送られる水の流量が０％の場合と、三方弁２２に熱交換機２４を通って送られる水の流量が０％で熱交換機２４を通らずに第１ポンプ１０Ａから直接送られる水の流量が１００％の場合が、一番圧力損失が大きくなり、両者の開度が５０％と５０パーセントの時に圧力損失が最も小さくなるので、図４に示すように、開度が５０％の時に第１ポンプ１２Ａの回転数を最も低くし、いずれか一方の開度が大きくなるに従って、回転数を上げるように設定している。
【００２５】
以上の構成に係る容器処理装置の作動について説明する。搬送コンベヤ４によって連続的に搬送される容器６が外部から缶体２内に供給され、第１散水領域Ａに到達すると、この散水領域Ａでは、第６散水領域Ｆの貯水タンク１０Ｆから第６ポンプ１２Ｆによって吸い上げられ、第１送水経路１６を介して送られてくる水が散水される。第６貯水タンク１０Ｆの水の温度は４７℃に制御されており、常温（約２０℃）で第１散水領域Ａに搬入されてきた容器に４７℃の水が散水される。散水された水は、常温で供給されてきた容器６と熱交換されることにより、４５℃程度まで冷却されて、第１貯水タンク１０Ａに流入する。
【００２６】
続いて容器６は、第２散水領域Ｂおよび第３散水領域Ｃを搬送され、これら各領域Ｂ、Ｃに設けられた第２貯水タンク１０Ｂおよび第３貯水タンク１０Ｃから、それぞれ第２ポンプ１２Ｂおよび第３ポンプ１２Ｃによって吸い出されて第２散水ノズル８Ｂおよび第３散水ノズル８Ｃに送られた８０℃の水が散水されて加熱される。容器６に散水された水は、それぞれ第２貯水タンク１０Ｂおよび第３貯水タンク１０Ｃに還流する。
【００２７】
さらに、容器６は搬送コンベヤ４によって第４散水領域Ｄおよび第５散水領域Ｅを搬送され、これら各領域Ｄ、Ｅに設けられた第４貯水タンク１０Ｄおよび第５貯水タンク１０Ｅから、第４ポンプ１２Ｄおよび第５ポンプ１２Ｅによって吸い上げられて第４散水ノズル８Ｄおよび第５散水ノズル８Ｅに送られた７５℃の水が散水されて殺菌される。容器６に散水された水は、それぞれ第４貯水タンク１０Ｄおよび第５貯水タンク１０Ｅに還流する。
【００２８】
第６散水領域Ｆに容器６が搬送されると、第１散水領域Ａの第１貯水タンク１０Ａに貯留されている水が、第２送水経路１８を介して第６散水ノズル８Ｆに送られ、この第６散水ノズル８Ｆから容器６に散水される。第１散水領域Ａから送水されてくる水は４５℃に設定されており、この水が容器６に散水されると、熱交換されて４７℃程度まで加熱されて下方の第６貯水タンク１０Ｆに流入する。
【００２９】
第７散水領域Ｇに到達した容器６は、第７貯水タンク１０Ｇに貯留されている水が、第７ポンプ１２Ｇによって吸い上げられて上方の第７散水ノズル８Ｇに送られて散水される。この第７散水領域Ｇでは貯水タンク１０Ｇの水の温度が３３℃に設定されており、この水が散水されて容器６は冷却される。その後、搬送コンベヤ４によって搬送されて缶体２から外部に排出されて次の工程に送られる。
【００３０】
容器６が密集して連続的に搬送されている通常の運転状態では、各貯水タンク１０Ａ、１０Ｂ、１０Ｃ、１０Ｄ、１０Ｅ、１０Ｆ、１０Ｇ内に貯留されている水、これら貯水タンク１０Ａ、１０Ｂ、１０Ｃ、１０Ｄ、１０Ｅ、１０Ｆ、１０Ｇからポンプ１２Ａ、１２Ｂ、１２Ｃ、１２Ｄ、１２Ｅ、１２Ｆ、１２Ｇによって吸い出されて散水ノズル８Ａ、８Ｂ、８Ｃ、８Ｄ、８Ｅ、８Ｆ、８Ｇから容器６に散水される水の温度が設定温度に維持されている。第１貯水タンク１０Ａから第２送水経路１８を経て第６散水ノズル８Ｆに送られる水の温度も設定値（この実施例では４５℃）に維持されるので、熱交換機２４を通る第１流路１８ａａには送られず、第２流路１８ａｂから三方弁２２を通って直接第６散水ノズル８Ｆに送水される。
【００３１】
容器６の供給量が減少した場合には、第６貯水タンク１０Ｆから第１送水経路１６を通って送水されて、第１散水領域Ａの散水ノズル８Ａから容器６に散水された水が、容器６との間で熱交換される量が減少するので、第１貯水タンク１０Ａに戻される水は通常の状態よりも高温になってしまう。すると、この第１散水領域Ａの貯水タンク１０Ａから第２送水経路１８を通って第６散水領域Ｆの第６散水ノズル８Ｆに送られる水の温度が上昇する。この水の温度の上昇は、第２送水経路１８の三方弁２２の下流部１８ｂに設けられている温度計３０により検出され、この検出値が三方弁制御部３２の開度制御部３４に送られ、三方弁２２の開度を調節して、第１貯水タンク１０Ａから第６散水ノズル８Ｆに送られる水の温度を下げようとする。
【００３２】
前記のように三方弁２２の開度を変えると、三方弁２２内を通る水の圧力損失が変化する。この圧力損失の変化に応じて、流量も変化してしまう。そこで、この実施例装置では、第１散水領域Ａの第１ポンプ１２Ａにインバータ２８が設けられており、三方弁２２の開度に応じてこの第１ポンプ１２Ａの回転数を制御して吐出量を調整し、常に一定量の水を送水できるようにしている。三方弁制御部３２では、予め三方弁２２の開度に応じたインバータ２８の周波数を記憶しており、三方弁２２の開度が変更されたときには、インバータ周波数を制御して第１ポンプ１２Ａの回転数を変更し、第６散水ノズル８Ｆに送る水の量を一定に維持する。
【００３３】
この実施例では、三方弁２２の、熱交換機２４を通る第１流路１８ａａ側の開度が０％で、第１ポンプ１２Ａから直接水が送られる第２流路１８ａｂ側の開度が１００％の場合と、熱交換機２４を通る第１流路１８ａａ側の開度が１００％で、第１ポンプ１２Ａから直接三方弁２２に水が送られる第２流路１８ａｂ側の開度が０％の場合に、最も圧力損失が大きくなる。一方、第１流路１８ａａ側と第２流路１８ａｂ側の開度がともに５０％の時に最も圧力損失が小さくなる。そこで、第１流路１８ａａ側と第２流路１８ａｂ側の開度がともに５０％の時に一番回転数が低く、この値から遠ざかるに従って第１ポンプ１２Ａの回転数を上げるように設定している。このように三方弁２２の開度の変更に応じて適応するインバータ周波数を選択して、ポンプ回転数を変更し、一定量の水を送水するようにしている。なお、前記実施例で示した各散水領域Ａ、Ｂ、Ｃ、Ｄ、Ｅ、Ｆ、Ｇの水の温度は一例であり、前記数値に限定されないことはいうまでもない。また、散水領域の数も７に限るものではない。さらに、循環経路を構成する第１および第２送水経路１６、１８に設けられている散水領域も、前記実施例の構成（第１散水領域Ａと第６散水領域Ｆ）に限定されるものではない。なお、この実施例では、本発明をパストライザに適用した場合について説明したが、パストライザに限らず、ウオーマやクーラーにも適用可能である。
【図面の簡単な説明】
【００３４】
【図１】容器処理装置の構成を簡略化して示す概略構成図である。（実施例１）
【図２】図（ａ）、（ｂ）、（ｃ）はそれぞれ三方弁の異なる作動状態を示す説明図である。
【図３】三方弁制御部の構成を示す図である。
【図４】三方弁の開度とインバータ周波数との関係を示すグラフである。
【符号の説明】
【００３５】
Ａ    散水領域（第１散水領域）
Ｂ    散水領域（第２散水領域）
Ｃ    散水領域（第３散水領域）
Ｄ    散水領域（第４散水領域）
Ｅ    散水領域（第５散水領域）
Ｆ    散水領域（第６散水領域）
Ｇ    散水領域（第７散水領域）
４    搬送手段（搬送コンベヤ）
６    容器
１２Ａ  送水手段（第１ポンプ）
１２Ｂ  送水手段（第２ポンプ）
１２Ｃ  送水手段（第３ポンプ）
１２Ｄ  送水手段（第４ポンプ）
１２Ｅ  送水手段（第５ポンプ）
１２Ｆ  送水手段（第６ポンプ）
１２Ｇ  送水手段（第７ポンプ）
１８    送水経路（第２送水経路）
１８ａａ  第１流路
１８ａｂ  第２流路
２２    三方弁
２４    熱交換機
２６    調整手段（弁体）
【図１】
2006145139.tif 000003
【図２】
2006145139.tif 000004
【図３】
2006145139.tif 000005
【図４】
2006145139.tif 000006